(57)【特許請求の範囲】
【請求項１】
電子透かしを動画像コンテンツに埋め込むことで電子透かし埋め込み動画像コンテンツを生成する電子透かし埋め込み装置であって、
前記動画像コンテンツを構成するフレーム画像において、埋め込み単位となる電子透かし１ビットに対応する画素ブロック単位を特定する埋め込み単位特定手段と、
前記フレーム画像に、所定数の画素ブロック単位で構成され、前記動画像コンテンツを他の動画像コンテンツと区別するための情報である基本識別情報を１つ以上含む電子透かしを埋め込む電子透かし埋め込み手段と、
前記フレーム画像を複数の埋め込み領域に分割する領域分割手段と、を備え、
前記電子透かし埋め込み手段は、前記複数の埋め込み領域ごとに、前記基本識別情報を１回以上埋め込む基本識別情報埋め込み部を備えることを特徴とする電子透かし埋め込み装置。
【請求項２】
電子透かしを動画像コンテンツに埋め込むことで電子透かし埋め込み動画像コンテンツを生成する電子透かし埋め込み装置であって、
前記動画像コンテンツを構成するフレーム画像において、埋め込み単位となる電子透かし１ビットに対応する画素ブロック単位を特定する埋め込み単位特定手段と、
前記フレーム画像に、所定数の画素ブロック単位で構成され、前記動画像コンテンツを他の動画像コンテンツと区別するための情報である基本識別情報を１つ以上含む電子透かしを埋め込む電子透かし埋め込み手段と、
同一の前記基本識別情報を１つ以上含む前記電子透かしの埋め込みデータを生成する埋め込みデータ生成手段と、を備え、
前記電子透かし埋め込み手段は、前記埋め込みデータを前記フレーム画像に所定回数繰り返し埋め込むことを特徴とする電子透かし埋め込み装置。
【請求項３】
前記電子透かし埋め込み手段は、前記複数の埋め込み領域ごとに、動画像コンテンツに関連した情報である関連情報を１回以上埋め込む関連情報埋め込み部を備えることを特徴とする請求項１に記載の電子透かし埋め込み装置。
【請求項４】
前記埋め込みデータ生成手段は、同一の前記基本識別情報を１つ以上含むとともに動画像コンテンツに関連した情報である関連情報を１つ以上含む前記電子透かしの埋め込みデータを生成することを特徴とする請求項２に記載の電子透かし埋め込み装置。
【請求項５】
前記基本識別情報は、前記動画像コンテンツの著作権者の氏名または名称であることを特徴とする請求項３または請求項４に記載の電子透かし埋め込み装置。
【請求項６】
前記基本識別情報は、前記動画像コンテンツの識別子であることを特徴とする請求項３または請求項４に記載の電子透かし埋め込み装置。
【請求項７】
前記関連情報は、前記動画像コンテンツの名称を記述したメタデータ、または、前記動画像コンテンツの著作権者の氏名以外の権利情報もしくは前記動画像コンテンツの著作権者の名称以外の権利情報を記述したメタデータであることを特徴とする請求項３から請求項５のいずれか一項に記載の電子透かし埋め込み装置。
【請求項８】
前記関連情報は、前記動画像コンテンツの撮影日時または撮影場所を示す情報であることを特徴とする請求項３、請求項４、請求項６のいずれか一項に記載の電子透かし埋め込み装置。
【請求項９】
電子透かしを動画像コンテンツに埋め込むことで電子透かし埋め込み動画像コンテンツを生成するために、コンピュータを、
前記動画像コンテンツを構成するフレーム画像において、埋め込み単位となる電子透かし１ビットに対応する画素ブロック単位を特定する埋め込み単位特定手段、
前記フレーム画像に、所定数の画素ブロック単位で構成され、前記動画像コンテンツを他の動画像コンテンツと区別するための情報である基本識別情報を１つ以上含む電子透かしを埋め込む電子透かし埋め込み手段、
前記フレーム画像を複数の埋め込み領域に分割する領域分割手段、として機能させ、
前記電子透かし埋め込み手段は、前記複数の埋め込み領域ごとに、前記基本識別情報を１回以上埋め込む基本識別情報埋め込み部を備えることを特徴とする電子透かし埋め込みプログラム。
【請求項１０】
電子透かしを動画像コンテンツに埋め込むことで電子透かし埋め込み動画像コンテンツを生成するために、コンピュータを、
前記動画像コンテンツを構成するフレーム画像において、埋め込み単位となる電子透かし１ビットに対応する画素ブロック単位を特定する埋め込み単位特定手段、
前記フレーム画像に、所定数の画素ブロック単位で構成され、前記動画像コンテンツを他の動画像コンテンツと区別するための情報である基本識別情報を１つ以上含む電子透かしを埋め込む電子透かし埋め込み手段、
同一の前記基本識別情報を１つ以上含む前記電子透かしの埋め込みデータを生成する埋め込みデータ生成手段、として機能させ、
前記電子透かし埋め込み手段は、前記埋め込みデータを前記フレーム画像に所定回数繰り返し埋め込むことを特徴とする電子透かし埋め込みプログラム。
【請求項１１】
動画像コンテンツを構成するフレーム画像内における複数の埋め込み領域のそれぞれに、当該動画像コンテンツを他の動画像コンテンツと区別するための情報である基本識別情報を１つ以上含むとともに当該動画像コンテンツに関連した情報である関連情報を１つ以上含む電子透かしが埋め込まれている電子透かし埋め込み動画像コンテンツから、請求項１から請求項１０のいずれか一項に記載の電子透かし埋め込み装置によって生成された前記電子透かしを検出する電子透かし検出装置であって、
前記複数の埋め込み領域から前記基本識別情報を検出する基本識別情報検出部と、前記複数の埋め込み領域から前記関連情報を検出する関連情報検出部と、からなる電子透かし検出手段を備え、
前記基本識別情報検出部および前記関連情報検出部は、前記動画像コンテンツを構成するフレーム画像内における複数の埋め込み領域ごとの埋め込みビットを判定し、当該複数の判定結果を相補的に判断することで、前記基本識別情報および前記関連情報に相当する最終的な埋め込みビットを決定することを特徴とする電子透かし検出装置。
【請求項１２】
通信網上における予め設定されたウェブサイト上に存在する動画像コンテンツを検索するための検索キーワードを入力する検索キーワード入力手段と、
前記検索キーワードに従って前記ウェブサイト上に存在する動画像コンテンツを検索し、当該動画像コンテンツを収集する動画像コンテンツ収集手段と、を備え、
前記基本識別情報検出部および前記関連情報検出部は、前記収集された動画像コンテンツを構成するフレーム画像内における複数の埋め込み領域から、前記基本識別情報および前記関連情報を検出することを特徴とする請求項１１に記載の電子透かし検出装置。
【請求項１３】
伝送路経由で前記動画像コンテンツを受信する動画像コンテンツ受信手段と、
前記受信した動画像コンテンツをベースバンド信号に復号する動画像コンテンツ復号手段と、
前記動画像コンテンツの基本識別情報に対応付けて、当該動画像コンテンツの名称、または、当該動画像コンテンツの説明をテキスト情報として格納する第１データベース格納手段と、
前記動画像コンテンツの関連情報に対応付けて、当該動画像コンテンツが撮影された場所の地図情報をテキスト情報として格納する第２データベース格納手段と、を備え、
前記基本識別情報検出部および前記関連情報検出部は、前記復号された動画像コンテンツを構成するフレーム画像内における複数の埋め込み領域から、前記基本識別情報および前記関連情報を検出するとともに、前記第１データベース格納手段および前記第２データベース格納手段から、前記基本識別情報および前記関連情報に対応したテキスト情報をそれぞれ抽出することを特徴とする請求項１１に記載の電子透かし検出装置。
【請求項１４】
動画像コンテンツを構成するフレーム画像内における複数の埋め込み領域のそれぞれに、当該動画像コンテンツを他の動画像コンテンツと区別するための情報である基本識別情報を１つ以上含むとともに当該動画像コンテンツに関連した情報である関連情報を１つ以上含む電子透かしが埋め込まれている電子透かし埋め込み動画像コンテンツから、請求項１から請求項１０のいずれか一項に記載の電子透かし埋め込み装置によって生成された前記電子透かしを検出するために、コンピュータを、
前記複数の埋め込み領域から前記基本識別情報を検出する基本識別情報検出部と、前記複数の埋め込み領域から前記関連情報を検出する関連情報検出部と、からなる電子透かし検出手段として機能させ、
前記基本識別情報検出部および前記関連情報検出部は、前記動画像コンテンツを構成するフレーム画像内における複数の埋め込み領域ごとの埋め込みビットを判定し、当該複数の判定結果を相補的に判断することで、前記基本識別情報および前記関連情報に相当する最終的な埋め込みビットを決定することを特徴とする電子透かし検出プログラム。
【発明の詳細な説明】
【技術分野】
【０００１】
本発明は、電子透かし埋め込み装置、電子透かし埋め込みプログラム、電子透かし検出装置および電子透かし検出プログラムに関するものである。
【背景技術】
【０００２】
従来、映画スクリーンやテレビのモニタをビデオカメラで撮影（以下、再撮という）した映像やＭＰＥＧ−２等の符号化方式により圧縮した映像からでも埋め込んだ情報を検出可能な電子透かし（以下、「再撮耐性等を有する電子透かし」という）の技術が提案されている（例えば、特許文献１参照）。
【先行技術文献】
【特許文献】
【０００３】
【特許文献１】国際公開第０５／０７９０７２号
【発明の概要】
【発明が解決しようとする課題】
【０００４】
しかしながら、従来の電子透かしにおいては、コンテンツの違法コピーを高速に検知して効率良く排除する技術、および、放送局において番組または放送素材を効果的に識別する技術については言及されておらず、電子透かしを実用的に利用できないという課題があった。
【０００５】
本発明はかかる点に鑑みてなされたものであって、電子透かしを活用して、コンテンツの違法コピーを高速に検知して効率良く排除できるとともに、放送局において番組または放送素材を効果的に識別することができる電子透かし埋め込み装置、電子透かし埋め込みプログラム、電子透かし検出装置および電子透かし検出プログラムを提供することを課題とする。
【課題を解決するための手段】
【０００６】
前記課題を解決するために請求項１に係る電子透かし埋め込み装置は、電子透かしを動画像コンテンツに埋め込むことで電子透かし埋め込み動画像コンテンツを生成する電子透かし埋め込み装置であって、埋め込み単位特定手段と、埋め込む電子透かし埋め込み手段と、領域分割手段と、を備え、電子透かし埋め込み手段が基本識別情報埋め込み部を備える構成とした。
【０００７】
このような構成によれば、電子透かし埋め込み装置は、埋め込み単位特定手段によって、動画像コンテンツを構成するフレーム画像において、埋め込み単位となる電子透かし１ビットに対応する画素ブロック単位を特定する。また、電子透かし埋め込み手段によって、フレーム画像に、所定数の画素ブロック単位で構成され、動画像コンテンツを他の動画像コンテンツと区別するための情報である基本識別情報を１つ以上含む電子透かしを埋め込む。また、領域分割手段によって、フレーム画像を複数の埋め込み領域に分割する。
【０００８】
そして、基本識別情報埋め込み部によって、複数の埋め込み領域ごとに、基本識別情報を１回以上埋め込む。そのため、電子透かし埋め込み装置は、１枚のフレーム画像に埋め込むことができる基本識別情報の数を、埋め込み領域の数だけ倍増させることができるため、フレーム画像のある部分でより激しい劣化が生じた場合であっても、その他の部分の基本識別情報から電子透かしを検出することができる電子透かし埋め込み動画像コンテンツを生成することができる。
【０００９】
また、前記課題を解決するために請求項２に係る電子透かし埋め込み装置は、電子透かしを動画像コンテンツに埋め込むことで電子透かし埋め込み動画像コンテンツを生成する電子透かし埋め込み装置であって、埋め込み単位特定手段と、電子透かし埋め込み手段と、埋め込みデータ生成手段と、を備え、電子透かし埋め込み手段が、埋め込みデータをフレーム画像に所定回数繰り返し埋め込む構成とした。
【００１０】
このような構成によれば、電子透かし埋め込み装置は、埋め込み単位特定手段によって、動画像コンテンツを構成するフレーム画像において、埋め込み単位となる電子透かし１ビットに対応する画素ブロック単位を特定する。また、電子透かし埋め込み手段によって、フレーム画像に、所定数の画素ブロック単位で構成され、動画像コンテンツを他の動画像コンテンツと区別するための情報である基本識別情報を１つ以上含む電子透かしを埋め込む。また、埋め込みデータ生成手段によって、同一の前記基本識別情報を１つ以上含む電子透かしの埋め込みデータを生成する。そのため、電子透かし埋め込み装置は、１つ以上の基本識別情報を一度にフレーム画像に埋め込むことができるため、電子透かしの埋め込み処理の回数を減らし、全体の処理速度を高速化することができる。
【００１１】
また、請求項３に係る電子透かし埋め込み装置は、請求項１に係る電子透かし埋め込み装置において、関連情報埋め込み部を備える構成とした。
【００１２】
このような構成によれば、電子透かし埋め込み装置は、関連情報埋め込み手段によって、複数の埋め込み領域ごとに、動画像コンテンツに関連した情報である関連情報を１回以上埋め込む。そのため、電子透かし埋め込み装置は、１枚のフレーム画像に埋め込むことができる関連情報の数を、埋め込み領域の数だけ倍増させることができるため、フレーム画像のある部分でより激しい劣化が生じた場合であっても、その他の部分の関連情報から電子透かしを検出することができる電子透かし埋め込み動画像コンテンツを生成することができる。
【００１３】
また、請求項４に係る電子透かし埋め込み装置は、請求項２に係る電子透かし埋め込み装置において、埋め込みデータ生成手段が、同一の基本識別情報を１つ以上含むとともに動画像コンテンツに関連した情報である関連情報を１つ以上含む電子透かしの埋め込みデータを生成する構成とした。
【００１４】
このような構成によれば、電子透かし埋め込み装置は、１つ以上の基本識別情報と１つ以上の関連情報を一度にフレーム画像に埋め込むことができるため、電子透かしの埋め込み処理の回数を減らし、全体の処理速度を高速化することができる。
【００１５】
また、請求項３または請求項４に係る電子透かし埋め込み装置において、基本識別情報が、動画像コンテンツの著作権者の氏名または名称、あるいは、動画像コンテンツの識別子である構成としてもよい。
【００１６】
さらに、請求項３から請求項５のいずれか一項に係る電子透かし埋め込み装置において、関連情報が、動画像コンテンツの名称を記述したメタデータ、または、動画像コンテンツの著作権者の氏名以外の権利情報もしくは動画像コンテンツの著作権者の名称以外の権利情報を記述したメタデータである構成としてもよく、請求項３、請求項４、請求項６のいずれか一項に係る電子透かし埋め込み装置において、関連情報が、動画像コンテンツの撮影日時または撮影場所を示す情報である構成としてもよい。
【００１７】
前記課題を解決するために請求項９に係る電子透かし埋め込みプログラムは、電子透かしを動画像コンテンツに埋め込むことで電子透かし埋め込み動画像コンテンツを生成するために、コンピュータを、埋め込み単位特定手段、埋め込む電子透かし埋め込み手段、領域分割手段、として機能させ、電子透かし埋め込み手段が基本識別情報埋め込み部を備える構成とした。
【００１８】
このような構成によれば、電子透かし埋め込みプログラムは、埋め込み単位特定手段によって、動画像コンテンツを構成するフレーム画像において、埋め込み単位となる電子透かし１ビットに対応する画素ブロック単位を特定する。また、電子透かし埋め込み手段によって、フレーム画像に、所定数の画素ブロック単位で構成され、動画像コンテンツを他の動画像コンテンツと区別するための情報である基本識別情報を１つ以上含む電子透かしを埋め込む。また、領域分割手段によって、フレーム画像を複数の埋め込み領域に分割する。
【００１９】
そして、基本識別情報埋め込み部によって、複数の埋め込み領域ごとに、基本識別情報を１回以上埋め込む。そのため、電子透かし埋め込みプログラムは、１枚のフレーム画像に埋め込むことができる基本識別情報の数を、埋め込み領域の数だけ倍増させることができるため、フレーム画像のある部分でより激しい劣化が生じた場合であっても、その他の部分の基本識別情報から電子透かしを検出することができる電子透かし埋め込み動画像コンテンツを生成することができる。
【００２０】
前記課題を解決するために請求項１０に係る電子透かし埋め込みプログラムは、電子透かしを動画像コンテンツに埋め込むことで電子透かし埋め込み動画像コンテンツを生成するために、コンピュータを、埋め込み単位特定手段、電子透かし埋め込み手段、埋め込みデータ生成手段、として機能させ、電子透かし埋め込み手段が、埋め込みデータをフレーム画像に所定回数繰り返し埋め込む構成とした。
【００２１】
このような構成によれば、電子透かし埋め込みプログラムは、埋め込み単位特定手段によって、動画像コンテンツを構成するフレーム画像において、埋め込み単位となる電子透かし１ビットに対応する画素ブロック単位を特定する。また、電子透かし埋め込み手段によって、フレーム画像に、所定数の画素ブロック単位で構成され、動画像コンテンツを他の動画像コンテンツと区別するための情報である基本識別情報を１つ以上含む電子透かしを埋め込む。また、埋め込みデータ生成手段によって、同一の前記基本識別情報を１つ以上含む電子透かしの埋め込みデータを生成する。そのため、電子透かし埋め込みプログラムは、１つ以上の基本識別情報を一度にフレーム画像に埋め込むことができるため、電子透かしの埋め込み処理の回数を減らし、全体の処理速度を高速化することができる。
【００２２】
前記課題を解決するために請求項１１に係る電子透かし検出装置は、動画像コンテンツを構成するフレーム画像内における複数の埋め込み領域のそれぞれに、当該動画像コンテンツを他の動画像コンテンツと区別するための情報である基本識別情報を１つ以上含むとともに当該動画像コンテンツに関連した情報である関連情報を１つ以上含む電子透かしが埋め込まれている電子透かし埋め込み動画像コンテンツから、請求項１から請求項１０のいずれか一項に記載の電子透かし埋め込み装置によって生成された電子透かしを検出する電子透かし検出装置であって、基本識別情報検出部と、関連情報検出部と、からなる電子透かし検出手段を備える構成とした。
また、電子透かし検出装置は、基本識別情報検出部および関連情報検出部が、動画像コンテンツを構成するフレーム画像内における複数の埋め込み領域ごとの埋め込みビットを判定し、当該複数の判定結果を相補的に判断することで、前記基本識別情報および前記関連情報に相当する最終的な埋め込みビットを決定する。
【００２３】
このような構成によれば、電子透かし検出装置は、基本識別情報検出部によって、複数の埋め込み領域から基本識別情報を検出し、関連情報検出部によって、複数の埋め込み領域から関連情報を検出するように、検出処理を２段階に分けて行うことができる。
さらに、電子透かし検出装置は、複数の埋め込み領域ごとの判定結果を総合することで、フレーム画像に埋め込まれている電子透かしの内容（基本識別情報および関連情報）を検出することができる。
【００２４】
また、請求項１２に係る電子透かし検出装置は、請求項１１に係る電子透かし検出装置において、検索キーワード入力手段と、動画像コンテンツ収集手段と、を備え、基本識別情報検出部および関連情報検出部が、収集された動画像コンテンツを構成するフレーム画像内における複数の埋め込み領域から、基本識別情報および関連情報を検出する構成とした。
【００２５】
このような構成によれば、電子透かし検出装置は、キーワード入力手段によって、通信網上における予め設定されたウェブサイト上に存在する動画像コンテンツを検索するための検索キーワードを入力する。また、動画像コンテンツ収集手段によって、検索キーワードに従ってウェブサイト上に存在する動画像コンテンツを検索し、当該動画像コンテンツを収集する。そのため、電子透かし検出装置は、キーワードに一致する動画像コンテンツを構成するフレーム画像の複数の埋め込み領域において、基本識別情報または関連情報が埋め込まれているか否かを検出するため、フレーム画像のある部分で劣化が生じた場合であっても、その他の部分の基本識別情報または関連情報から電子透かしを検出することができる。
【００２６】
また、請求項１３に係る電子透かし検出装置は、請求項１１に係る電子透かし検出装置において、動画像コンテンツ受信手段と、動画像コンテンツ復号手段と、第１データベース格納手段と、第２データベース格納手段と、を備え、基本識別情報検出部および関連情報検出部が、復号された動画像コンテンツを構成するフレーム画像内における複数の埋め込み領域から、基本識別情報および関連情報を検出するとともに、第１データベース格納手段および第２データベース格納手段から、基本識別情報および関連情報に対応したテキスト情報をそれぞれ抽出する構成とした。
【００２７】
このような構成によれば、電子透かし検出装置は、動画像コンテンツ受信手段によって、伝送路経由で動画像コンテンツを受信する。また、動画像コンテンツ復号手段によって、受信した動画像コンテンツをベースバンド信号に復号する。なお、この電子透かし検出装置は、第１データベース格納手段によって、動画像コンテンツの基本識別情報に対応付けて、当該動画像コンテンツの名称、または、当該動画像コンテンツの説明をテキスト情報として格納しているとともに、第２データベース格納手段によって、動画像コンテンツの関連情報に対応付けて、当該動画像コンテンツが撮影された場所の地図情報をテキスト情報として格納している。そのため、電子透かし検出装置は、伝送路経由で動画像コンテンツを受信した際に、基本識別情報および関連情報の検出に加えて、これらに関連した情報も抽出されるように構成されているため、例えば送信元や名称が不明な動画像コンテンツを受信した場合であっても、送信元や名称を把握することができる。
【００３０】
前記課題を解決するために請求項１２に係る電子透かし検出プログラムは、動画像コンテンツを構成するフレーム画像に、当該動画像コンテンツを他の動画像コンテンツと区別するための情報である基本識別情報を１つ以上含むとともに当該動画像コンテンツに関連した情報である関連情報を１つ以上含む電子透かしが埋め込まれている電子透かし埋め込み動画像コンテンツから、請求項１から請求項１０のいずれか一項に記載の電子透かし埋め込み装置によって生成された電子透かしを検出するために、コンピュータを、基本識別情報検出部と関連情報検出部とを備える電子透かし検出手段として機能させる構成とした。
【００３１】
このような構成によれば、電子透かし検出プログラムは、基本識別情報検出部によって、フレーム画像から基本識別情報を検出し、関連情報検出部によって、フレーム画像から、関連情報を検出する関連情報検出部を検出するように、検出処理を２段階に分けて行うことができる。
【発明の効果】
【００３２】
請求項１から請求項１０に係る発明によれば、基本識別情報をフレーム画像に繰り返し埋め込むことで、フレーム画像の一部が劣化した場合であっても、電子透かし検出装置によってその他の部分の基本識別情報から電子透かしを検出させることができるため、コンテンツの違法コピーを高速に検知して効率良く排除することができるとともに、放送局において番組または放送素材を効果的に識別することができる。
【００３３】
請求項１１から請求項１４に係る発明によれば、基本識別情報がフレーム画像に繰り返し埋め込まれていることで、フレーム画像の一部が劣化した場合であっても、その他の部分の基本識別情報から電子透かしを検出することができるため、コンテンツの違法コピーを高速に検知して効率良く排除することができるとともに、放送局において番組または放送素材を効果的に識別することができる。
【図面の簡単な説明】
【００３４】
【図１】本発明の第１実施形態に係る電子透かし埋め込み装置の全体構成を示すブロック図である。
【図２】画像フレームの埋め込み領域を説明するための概略図である。
【図３】画像フレームの埋め込み領域における電子透かしのデータ配列を説明するための概略図である。
【図４】本発明の第１実施形態に係る電子透かし埋め込み装置の動作を説明するためのフローチャートである。
【図５】本発明の第２実施形態またはその変形例に係る電子透かし埋め込み装置の全体構成を示すブロック図である。
【図６】本発明の第１実施形態に係る電子透かし検出装置の全体構成を示すブロック図である。
【図７】本発明の第１実施形態に係る電子透かし検出装置の動作を説明するためのフローチャートである。
【図８】本発明の第２実施形態に係る電子透かし検出装置の全体構成を示すブロック図である。
【図９】本発明の第２実施形態に係る電子透かし検出装置の動作を説明するためのフローチャートである。
【発明を実施するための形態】
【００３５】
本発明の実施形態に係る電子透かし埋め込み装置、電子透かし埋め込みプログラム、電子透かし検出装置および電子透かし検出プログラムについて、図面を参照しながら説明する。なお、以下の説明において、同一の構成については同一の名称及び符号を付し、詳細説明を省略する。
【００３６】
＜電子透かし埋め込み装置＞
［第１実施形態］
以下、第１実施形態に係る電子透かし埋め込み装置１について、図１〜図３を参照しながら詳細に説明する。電子透かし埋め込み装置１は、電子透かしを動画像コンテンツに埋め込むことで電子透かし埋め込み動画像コンテンツを生成するものである。電子透かし埋め込み装置１は、具体的には、図１に示すように、埋め込み単位特定手段９と、領域分割手段１０と、電子透かし埋め込み手段２０と、を備えている。以下、電子透かし埋め込み装置１が備える各構成について説明する。
【００３７】
埋め込み単位特定手段９は、一つのフレーム画像において、埋め込み単位となる電子透かし１ビットに対応する画素ブロック単位を特定するためのものである。この画素ブロックは、少なくとも１つ以上の画素から構成されており、例えば横１０×縦１０から構成される複数（１００個）の画素等、画素ブロックが複数の画素から構成される場合、その画素ブロック内には、同一の電子透かしが埋め込まれる。なお、埋め込み単位特定手段９により特定される画素ブロックの画素数は特に限定されるものではなく、前記した１個や１００個の画素に限定されない。
【００３８】
領域分割手段１０は、動画像コンテンツのフレーム画像を複数の埋め込み領域に分割するものであり、この埋め込み領域に、電子透かしが埋め込まれることとなる。また、領域分割手段１０は、分割した埋め込み領域が、後記する電子透かし埋め込み手段２０により、基本識別情報及び関連情報である電子透かしが繰り返し複数回埋め込み可能なようにフレームを分割する。本実施形態における領域分割手段１０は、図２に示すように、動画像コンテンツを構成するそれぞれのフレーム画像を例えば（１）〜（８）の８つの領域に分割する。そして、領域分割手段１０は、フレーム画像の分割位置に関する情報（例えば、各埋め込み領域の境界に位置する画素の座標）を生成する。なお、本実施形態の埋め込み領域には、一つのフレームを分割した（１）〜（８）の８つの埋め込み領域に、それぞれ同一のデータが埋め込まれる。
【００３９】
領域分割手段１０には、図１に示すように、図示しない動画像コンテンツ蓄積装置等から、動画像コンテンツが入力される。そして、領域分割手段１０は、前記した手法によってフレーム画像を複数の埋め込み領域に分割し、図２に示すように、フレーム画像と当該フレーム画像の分割位置に関する情報とを電子透かし埋め込み手段２０に出力する。
【００４０】
電子透かし埋め込み手段２０は、動画像コンテンツを構成するフレーム画像に、一つの画素ブロックを１ビットデータとして、基本識別情報および関連情報を含む電子透かしを埋め込むものである。電子透かし埋め込み手段２０は、具体的には、図１に示すように、フレーム画像に基本識別情報を埋め込む基本識別情報埋め込み部２０１と、フレーム画像に関連情報を埋め込む関連情報埋め込み部２０２と、を備えており、フレーム画像に対して基本識別情報と関連情報とを別々に埋め込むように構成されている。
【００４１】
ここで、基本識別情報とは、動画像コンテンツを他の動画像コンテンツと区別するために最低限必要な情報のことを意味している。基本識別情報は、所定数の画素ブロック単位で構成される。基本識別情報の具体的な内容は、電子透かしの用途によって異なるが、例えば電子透かしをコンテンツの違法コピーを検出する用途に活用する場合は、著作権者の氏名または名称等の動画像コンテンツの著作権者を識別するための情報を基本識別情報とすることができる。また、電子透かしを放送局において番組または放送素材を識別する用途に活用する場合は、動画像コンテンツの識別子（コンテンツＩＤ）、動画像コンテンツを撮影したカメラ等の固体識別番号、放送局間におけるコンテンツ受け渡しの際の送信元放送局ＩＤ、等の動画像コンテンツの識別情報を基本識別情報とすることができる。なお、基本識別情報は、ビット数が小さいほど検出に要する時間も短くなるため、例えば８ビット程度の少数ビットデータで構成することが好ましい。
【００４２】
また、関連情報とは、動画像コンテンツに関連した情報のことを意味している。関連情報は、所定数の画素ブロック単位で構成される。関連情報の具体的な内容は、電子透かしの用途によって異なるが、例えば電子透かしをコンテンツの違法コピーを検出する用途に活用する場合は、動画像コンテンツの名称等の属性情報を記述したメタデータ、または、動画像コンテンツの著作権者の氏名または名称以外の権利情報（権利期間等）を記述したメタデータを関連情報とすることができる。また、電子透かしを放送局において番組または放送素材を識別する用途に活用する場合は、動画像コンテンツの撮影日時または撮影場所等の制作情報を関連情報とすることができる。なお、関連情報は、基本識別情報と異なり一つの埋め込み領域に対して一つ埋め込まれていればよいため、例えば４０ビット程度の汎用データで構成することが好ましい。
【００４３】
基本識別情報埋め込み部２０１は、図２に示す埋め込み領域（１）〜（８）に対して、基本識別情報を所定回数繰り返し埋め込むものである。基本識別情報埋め込み部２０１は、ここでは図２に示す埋め込み領域（１）〜（８）のそれぞれに、図示しない基本識別情報蓄積装置等から入力された基本識別情報を例えば５回埋め込む。基本識別情報埋め込み部２０１は、例えば基本識別情報が８ビットである場合、図２に示す埋め込み領域（１）〜（８）ごとに８ビットの基本識別情報を５回ずつ埋め込み、１つの埋め込み領域に対して合計４０ビットのデータを埋め込む。
【００４４】
基本識別情報埋め込み部２０１は、図２に示す埋め込み領域（１）〜（８）のそれぞれに基本識別情報を５回ずつ埋め込む場合、埋め込み領域（１）から（８）まで順番に基本識別情報を埋め込む処理を５回繰り返すことで、１つの埋め込み領域に対して合計４０ビットのデータを埋め込む。但し、基本識別情報埋め込み部２０１が基本識別情報を埋め込む順序は特に限定されず、例えば１つの埋め込み領域に対して基本識別情報を５回埋め込む処理を埋め込み領域（１）から（８）まで順番に行うことで、１つの埋め込み領域に対して合計４０ビットのデータを埋め込んでもよい。
【００４５】
関連情報埋め込み部２０２は、図２に示す埋め込み領域（１）〜（８）に対して、図示しない関連情報蓄積装置等から入力された関連情報を１回以上埋め込むものである。関連情報埋め込み部２０２は、例えば関連情報が４０ビットである場合、図２に示す埋め込み領域（１）〜（８）ごとに４０ビットの関連情報を１回ずつ埋め込み、１つの埋め込み領域に対して４０ビットのデータを埋め込む。なお、関連情報埋め込み部２０２は、ここでは前記した基本識別情報埋め込み部２０１による基本識別情報の５回分の埋め込み処理の後に、関連情報の埋め込み処理を行う。
【００４６】
前記したように、基本識別情報埋め込み部２０１が基本識別情報の埋め込み処理を５回行った後に、関連情報埋め込み部２０２が関連情報の埋め込み処理を１回行った場合、図２に示す埋め込み領域（１）〜（８）のそれぞれには、図３に示すようなデータ配列を有する電子透かしの埋め込みデータが埋め込まれる。すなわち、図３に示すように、図２に示す埋め込み領域（１）〜（８）のそれぞれが１つの埋め込み単位（単位埋め込み領域）となり、当該埋め込み単位における少数ビットデータの繰り返し埋め込み領域に基本識別情報ａ１〜ａ５が埋め込まれ、当該埋め込み単位の汎用データの埋め込み領域に関連情報ｂが埋め込まれている。なお、図３におけるＣＲＣは、汎用データの埋め込み領域に埋め込まれた関連情報ｂのデータビットに対する誤り訂正データのことを意味している。
【００４７】
（電子透かしの埋め込みアルゴリズム）
以上説明した基本識別情報埋め込み部２０１および関連情報埋め込み部２０２は、具体的には、前記した特許文献１に記載されたアルゴリズムと同様のアルゴリズムを用いて、フレーム画像に基本識別情報および関連情報を埋め込む。すなわち、基本識別情報埋め込み部２０１および関連情報埋め込み部２０２は、図２に示す埋め込み領域（１）〜（８）ごとに、画素値（輝度値）の変化が視認されにくい特性を有する画素を適応画素として抽出し、当該領域間の境界および／または時間方向で画素値（輝度値）を変化させることで基本識別情報および関連情報を埋め込み、再撮耐性等を有する電子透かし埋め込み動画像コンテンツを生成する。
【００４８】
電子透かし埋め込み手段２０には、図１に示すように、領域分割手段１０から、分割画像が入力される。そして、電子透かし埋め込み手段２０は、前記した手法によって電子透かし埋め込み動画像コンテンツを生成し、これを例えば図示しない電子透かし埋め込み動画像コンテンツ蓄積手段等に出力する。
【００４９】
以上のような構成を備える電子透かし埋め込み装置１は、１枚のフレーム画像に埋め込むことができる基本識別情報の数を、埋め込み領域の数だけ倍増させることができるため、フレーム画像のある部分でより激しい劣化が生じた場合であっても、その他の部分の基本識別情報から電子透かしを検出することができる電子透かし埋め込み動画像コンテンツを生成することができる。従って、電子透かし埋め込み装置１は、基本識別情報をフレーム画像に繰り返し埋め込むことで、フレーム画像の一部が劣化した場合であっても、電子透かし検出装置によってその他の部分の基本識別情報から電子透かしを検出させることができるため、コンテンツの違法コピーを高速に検知して効率良く排除することができるとともに、放送局において番組または放送素材を効果的に識別することができる。
【００５０】
［電子透かし埋め込み装置１の動作］
以下、電子透かし埋め込み装置１の動作について、図４を参照しながら簡単に説明する。まず、図示しない動画像コンテンツ蓄積装置等から動画像コンテンツが入力されると、埋め込み単位特定手段９が、フレーム画像において、埋め込み単位となる電子透かし１ビットに対応する画素ブロック単位を特定する（ステップＳ１）。次に、領域分割手段１０が、動画像コンテンツのフレーム画像を複数の埋め込み領域（図２参照）に分割した分割画像を生成し、これを電子透かし埋め込み手段２０に出力する（ステップＳ２）。次に、基本識別情報埋め込み部２０１が、図２に示す埋め込み領域（１）〜（８）のそれぞれに対して、基本識別情報を所定回数（例えば５回）繰り返し埋め込む（ステップＳ３）。また、関連情報埋め込み部２０２が、図２に示す埋め込み領域（１）〜（８）のそれぞれに対して、関連情報を１回埋め込む（ステップＳ４）。そして、このような埋め込み処理によって、図２に示す埋め込み領域（１）〜（８）のそれぞれに、図３に示すようなデータ配列を有する電子透かしの埋め込みデータが埋め込まれた電子透かし埋め込み動画像コンテンツを生成し、図示しない電子透かし埋め込み動画像コンテンツ蓄積手段等に出力する。
【００５１】
［第２実施形態］
以下、第２実施形態に係る電子透かし埋め込み装置１Ａについて、図５を参照（適宜図３も参照）しながら簡単に説明する。電子透かし埋め込み装置１Ａは、図５に示すように、埋め込み単位特定手段９と、電子透かし埋め込み手段２１と、埋め込みデータ生成手段３０と、を備えている。ここで、電子透かし埋め込み装置１Ａは、前記した電子透かし埋め込み装置１とは異なり、フレーム画像を複数の埋め込み領域に分割することなく、予め生成された埋め込みデータをフレーム画像の面内に繰り返し埋め込むことを特徴としている。なお、電子透かし埋め込み装置１Ａは、電子透かし埋め込み装置１と同様の埋め込みアルゴリズムを用いている。
【００５２】
埋め込み単位特定手段９は、前記した電子透かし埋め込み装置１と同様に、一つのフレーム画像において、埋め込み単位となる電子透かし１ビットに対応する画素ブロック単位を特定する。
【００５３】
電子透かし埋め込み手段２１は、前記した電子透かし埋め込み手段２０と同様に、動画像コンテンツを構成するフレーム画像に、基本識別情報および関連情報からなる電子透かしを埋め込むものであるが、基本識別情報埋め込み部２０１および関連情報埋め込み部２０２を備えていない点において、電子透かし埋め込み手段２０とは異なる。すなわち、電子透かし埋め込み手段２１は、フレーム画像に対して基本識別情報と関連情報をそれぞれ別々に埋め込むのではなく、後記する埋め込みデータ生成手段３０によって予め生成された電子透かしの埋め込みデータをフレーム画像の面内に繰り返し埋め込む。
【００５４】
電子透かし埋め込み手段２１には、図５に示すように、図示しない動画像コンテンツ蓄積手段等から、動画像コンテンツが入力されるとともに、埋め込みデータ生成手段３０から、埋め込みデータが入力される。そして、電子透かし埋め込み手段２１は、前記した手法によって電子透かし埋め込み動画像コンテンツを生成し、これを例えば図示しない電子透かし埋め込み動画像コンテンツ蓄積手段等に出力する。なお、埋め込みデータとは、図３に示すように、同一の基本識別情報を複数含むとともに、関連情報を１つ含むデータ配列を有する電子透かしの埋め込みデータのことを意味している。
【００５５】
埋め込みデータ生成手段３０は、電子透かしの埋め込みデータを予め生成するものである。埋め込みデータ生成手段３０は、前記した埋め込み単位特定手段９によって特定された一つの画素ブロックを１ビットデータとして、基本識別情報および関連情報を含む電子透かしの埋め込みデータを生成する。
【００５６】
埋め込みデータ生成手段３０には、図示しない基本識別情報蓄積装置等から、基本識別情報が入力されるとともに、図示しない関連情報蓄積装置等から、関連情報が入力される。そして、埋め込みデータ生成手段３０は、図３に示すように、基本識別情報と関連情報とを配列することで、電子透かしの埋め込みデータを生成し、図５に示すように、これを電子透かし埋め込み手段２１に出力する。
【００５７】
以上のような構成を備える電子透かし埋め込み装置１Ａは、複数の基本識別情報と１つの関連情報を一度にフレーム画像に埋め込むことができるため、電子透かしの埋め込み処理の回数を減らし、全体の処理速度を高速化することができる。
【００５８】
［第２実施形態の変形例］
以下、第２実施形態に係る電子透かし埋め込み装置１Ａの変形例について、図５を参照しながら簡単に説明する。電子透かし埋め込み装置１Ａの変形例は、図５に示すように、前記した電子透かし埋め込み装置１Ａと同様の構成を備えているが、埋め込み単位特定手段９、電子透かし埋め込み手段２１および埋め込みデータ生成手段３０の動作が異なることを特徴としている。なお、電子透かし埋め込み装置１Ａの変形例は、電子透かし埋め込み装置１と同様の埋め込みアルゴリズムを用いている。
【００５９】
電子透かし埋め込み装置１Ａの変形例は、埋め込みデータ生成手段３０によって、電子透かしの埋め込みデータを予め１フレーム分生成する。これは、例えば埋め込みデータ生成手段３０によって、埋め込み単位特定手段９によって特定された一つの画素ブロックを１ビットデータとして、図３に示すデータ配列を有する電子透かしの埋め込みデータ（合計８０ビット）を８つ分生成し、１フレーム分の埋め込みデータ（合計６４０ビット）を一度に生成することを意味している。電子透かし埋め込み装置１Ａの変形例は、このようにして生成した１フレーム分の電子透かしの埋め込みデータを、フレーム画像に１回埋め込むことで、電子透かしの埋め込み処理を行う。
【００６０】
以上のような構成を備える電子透かし埋め込み装置１Ａの変形例は、埋め込みデータ生成手段３０によって１フレーム分の埋め込みデータを生成することで、一度の処理によってフレーム画像に電子透かしを埋め込むことができるため、埋め込み処理の速度を向上させることができる。
【００６１】
［電子透かし埋め込みプログラム］
ここで、前記した電子透かし埋め込み装置１，１Ａおよびその変形例は、一般的なコンピュータを、前記した各手段および各部として機能させるプログラムにより動作させることで実現することができる。このプログラムは、通信回線を介して配布することも可能であるし、ＣＤ−ＲＯＭ等の記録媒体に書き込んで配布することも可能である。
【００６２】
＜電子透かし検出装置＞
［第１実施形態］
以下、第１実施形態に係る電子透かし検出装置２について、図６を参照しながら詳細に説明する。電子透かし検出装置２は、前記した電子透かし埋め込み装置１によって生成された電子透かし埋め込み動画像コンテンツ中に埋め込まれた電子透かしを検出するものである。電子透かし検出装置２は、具体的には、動画像コンテンツを構成するフレーム画像に、基本識別情報を複数含むとともに関連情報を１つ含む電子透かしが埋め込まれている電子透かし埋め込み動画像コンテンツから電子透かしを検出する。そして、電子透かし検出装置２は、図６に示すように、その検出結果（基本識別情報および関連情報の内容）を外部の表示手段８０に出力する。なお、図６に示す表示手段８０は、外部に設けられたパソコンのモニタ等を想定しているが、電子透かし検出装置２の内部に備える構成としても構わない。
【００６３】
また、電子透かし検出装置２は、電子透かしをコンテンツの違法コピーを検出する用途に活用する場合に用いることを想定している。従って、電子透かし検出装置２の検出対象となる電子透かしの中には、基本識別情報として、著作権者の氏名または名称等の動画像コンテンツの著作権者を識別するための情報が含まれており、かつ、関連情報として、動画像コンテンツの名称等の属性情報を記述したメタデータ、または、動画像コンテンツの著作権者の氏名または名称以外の権利情報（権利期間等）を記述したメタデータが含まれている場合を想定している。
【００６４】
電子透かし検出装置２は、図６に示すように、電子透かし検出手段７０を主な構成として備えており、検索キーワード入力手段４０と、動画像コンテンツ収集手段５０と、動画像コンテンツ蓄積手段６０と、を付加的な構成として備えている。以下、電子透かし検出装置２が備える各構成について説明する。
【００６５】
検索キーワード入力手段４０は、動画像コンテンツ収集手段５０に対して、検索キーワードを入力するものである。検索キーワード入力手段４０は、具体的には、図示しない外部のユーザの操作に基づいて、図６に示すように通信網Ｎ上における予め設定されたウェブサイト上に存在する動画像コンテンツを検索するための検索キーワードを動画像コンテンツ収集手段５０に入力する。なお、通信網Ｎとしては、ここではインターネットを想定している。また、予め設定されたウェブサイトとしては、ここでは動画投稿サイト等を想定している。
【００６６】
動画像コンテンツ収集手段５０は、動画像コンテンツの収集を行うものである。動画像コンテンツ収集手段５０は、具体的には、図６に示すように、検索キーワードに従って、通信網Ｎ上における予め設定されたウェブサイト上に存在する動画像コンテンツを検索し、当該動画像コンテンツを収集する。
【００６７】
動画像コンテンツ蓄積手段６０は、動画像コンテンツ収集手段５０が収集した動画像コンテンツを蓄積するものである。動画像コンテンツ蓄積手段６０は、具体的には、データを記憶することができるメモリ、ハードディスク等で具現される。動画像コンテンツ蓄積手段６０には、図６に示すように、動画像コンテンツ収集手段５０から、動画像コンテンツの画像データ（輝度および色差の画像データ）が１フレームないし複数フレーム単位で入力される。
【００６８】
電子透かし検出手段７０は、動画像コンテンツを構成するフレーム画像から電子透かしを検出するものである。電子透かし検出手段７０は、具体的には、図６に示すように、フレーム画像から基本識別情報を検出する基本識別情報検出部７０１と、フレーム画像から関連情報を検出する関連情報検出部７０２と、を備えており、フレーム画像に電子透かしとして埋め込まれている基本識別情報と関連情報とを別々に検出するように構成されている。
【００６９】
基本識別情報検出部７０１は、図２に示す埋め込み領域（１）〜（８）に埋め込まれた基本識別情報を検出するものである。基本識別情報検出部７０１は、例えば図２に示す埋め込み領域（１）から埋め込み領域（８）までを順番に走査して当該埋め込み領域ごとの埋め込みビットを判定し、後記するように、当該複数の判定結果を多数決する多数決判定等によって相補的に判断することで、基本識別情報に相当する最終的な埋め込みビットを決定する。なお、基本識別情報検出部７０１は、電子透かし埋め込み装置１によってフレーム画像のどの位置にどのような基本識別情報が埋め込まれているのか、すなわち検出対象となる基本識別情報の埋め込み位置の情報と、当該基本識別情報に対応する埋め込みビットの情報と、を予め保持しており、これらの情報を用いて埋め込みビットを判定することで、最終的な埋め込みビットを決定する。
【００７０】
ここで、図２に示す埋め込み領域（１）〜（８）のそれぞれには、図３に示すように、基本識別情報が５つずつ埋め込まれているため、１枚のフレーム画像には、合計４０箇所に基本識別情報が埋め込まれていることになる。そのため、より少ないフレーム数のフレーム画像から基本識別情報を検出することができるため、電子透かしの検出処理を高速化することができる。
【００７１】
関連情報検出部７０２は、図２に示す埋め込み領域（１）〜（８）に埋め込まれた関連情報を検出するものである。関連情報検出部７０２は、例えば図２に示す埋め込み領域（１）から埋め込み領域（８）までを順番に走査して当該埋め込み領域ごとの埋め込みビットを判定し、後記するように、当該複数の判定結果を多数決する多数決判定等によって相補的に判断することで、関連情報に相当する最終的な埋め込みビットを決定する。なお、関連情報検出部７０２は、電子透かし埋め込み装置１によってフレーム画像のどの位置にどのような関連情報が埋め込まれているのか、すなわち検出対象となる関連情報の埋め込み位置の情報と、当該関連情報に対応する埋め込みビットの情報と、を予め保持しており、これらの情報を用いて埋め込みビットを判定することで、最終的な埋め込みビットを決定する。
【００７２】
ここで、図２に示す埋め込み領域（１）〜（８）のそれぞれには、図３に示すように、関連情報が１つずつ埋め込まれているため、１枚のフレーム画像には、合計８箇所に関連情報が埋め込まれている。なお、関連情報検出部７０２は、ここでは前記した基本識別情報検出部７０１による基本識別情報の検出処理の後に、関連情報の検出処理を行う。
【００７３】
（電子透かしの検出アルゴリズム）
基本識別情報検出部７０１および関連情報検出部７０２は、以下のようなアルゴリズムを用いてフレーム画像内における基本識別情報および関連情報を検出する。基本識別情報検出部７０１および関連情報検出部７０２は、例えば前記したように特許文献１に記載されたアルゴリズムを用いて電子透かしの埋め込み処理を行った場合、埋め込み領域（１）〜（８）（図２参照）内および／または時間方向の画素値（輝度値）変化パターンと、予め定めた電子透かしによる埋め込みビットの埋め込み領域（１）〜（８）（図２参照）内および／または時間方向の画素値（輝度値）変化パターンとの相関値を計算して埋め込み領域ごとにビットを判定し、これらの結果を多数決して最終的な埋め込みビットを決定する。
【００７４】
電子透かし検出手段７０には、図６に示すように、動画像コンテンツ蓄積手段６０から、動画像コンテンツが入力される。そして、電子透かし検出手段７０は、前記した手法によって電子透かしを検出し、図６に示すように、その検出結果を表示手段８０に出力する。
【００７５】
以上のような構成を備える電子透かし検出装置２は、基本識別情報検出部７０１によって、複数の埋め込み領域から基本識別情報を検出し、関連情報検出部７０２によって、複数の埋め込み領域から関連情報を検出するように、検出処理を２段階に分けて行うことができる。また、電子透かし検出装置２は、キーワードに一致する動画像コンテンツを構成するフレーム画像の複数の埋め込み領域において、基本識別情報または関連情報が埋め込まれているか否かを検出するため、フレーム画像のある部分で劣化が生じた場合であっても、その他の部分の基本識別情報または関連情報から電子透かしを検出することができる。従って、電子透かし検出装置２は、基本識別情報がフレーム画像に繰り返し埋め込まれていることで、フレーム画像の一部が劣化した場合であっても、その他の部分の基本識別情報から電子透かしを検出することができるため、コンテンツの違法コピーを高速に検知して効率良く排除することができるとともに、放送局において番組または放送素材を効果的に識別することができる。
【００７６】
［電子透かし検出装置２の動作］
以下、電子透かし検出装置２の動作について、図７を参照しながら簡単に説明する。まず、検索キーワード入力手段４０から検索キーワードが入力されると、動画像コンテンツ収集手段５０は、当該検索キーワードに従って、通信網Ｎ上における予め設定されたウェブサイト上に存在する動画像コンテンツを検索および収集する（ステップＳ５）。次に、基本識別情報検出部７０１が、当該収集された動画像コンテンツを構成するフレーム画像の埋め込み領域（１）〜（８）（図２参照）に埋め込まれた基本識別情報を検出し、検出結果を表示手段８０に出力する（ステップＳ６）。次に、関連情報検出部７０２が、当該収集された動画像コンテンツを構成するフレーム画像の埋め込み領域（１）〜（８）（図２参照）に埋め込まれた関連識別情報を検出し、検出結果を表示手段８０に出力する（ステップＳ７）。そして、表示手段８０が当該検出結果を表示する。
【００７７】
［第２実施形態］
以下、第２実施形態に係る電子透かし検出装置２Ａについて、図８を参照しながら簡単に説明する。電子透かし検出装置２Ａは、前記した電子透かし検出装置２と同様に、前記した電子透かし埋め込み装置１によって生成された電子透かし埋め込み動画像コンテンツ中に埋め込まれた電子透かしを検出するものであるが、動画像コンテンツ蓄積手段６０および電子透かし検出手段７０の他に、動画像コンテンツ受信手段９０と、動画像コンテンツ復号手段１００と、第１データベース格納手段１１１と、第２データベース格納手段１１２と、を備えている点において、電子透かし検出装置２とは異なる。なお、電子透かし検出装置２Ａは、電子透かし検出装置２と同様の検出アルゴリズムを用いている。
【００７８】
また、電子透かし検出装置２Ａは、電子透かしを放送局において番組または放送素材を識別する用途に活用する場合に用いることを想定している。従って、電子透かし検出装置２Ａの検出対象となる電子透かしの中には、基本識別情報として、動画像コンテンツの識別子（コンテンツＩＤ）、動画像コンテンツを撮影したカメラ等の固体識別番号、放送局間におけるコンテンツ受け渡しの際の送信元放送局ＩＤ、等の動画像コンテンツの識別情報が含まれており、かつ、関連情報として、動画像コンテンツの撮影日時または撮影場所等の制作情報が含まれている場合を想定している。
【００７９】
動画像コンテンツ受信手段９０は、伝送路を経由して、圧縮処理が施された動画像コンテンツ（以下、圧縮動画像コンテンツという）を受信するものである。動画像コンテンツ受信手段９０は、図８に示すように、伝送路Ｔ経由で受信した圧縮動画像コンテンツを動画像コンテンツ復号手段１００に出力する。なお、伝送路Ｔとしては、ここでは放送局間を結ぶＦＰＵ（Field Pickup Unit）線、高速固定データ通信回線またはインターネット等を想定している。また、動画像コンテンツの圧縮処理とは、例えば送信側の放送局において、電子透かし埋め込み装置１，１Ａによって電子透かしの埋め込み処理がなされた後の電子透かし埋め込み動画像コンテンツに対して、図示していない圧縮装置により圧縮処理が行われたことを意味している。
【００８０】
動画像コンテンツ復号手段１００は、動画像コンテンツをベースバンド信号に復号するものである。動画像コンテンツ復号手段１００は、図８に示すように、動画像コンテンツ受信手段９０から圧縮処理が施された圧縮動画像コンテンツが入力されると、ベースバンド信号に復号することで圧縮処理前の状態に戻し、当該動画像コンテンツを動画像コンテンツ蓄積手段６０に出力する。
【００８１】
第１データベース格納手段１１１は、動画像コンテンツの基本識別情報に対応付けて、当該動画像コンテンツの名称、または、当該動画像コンテンツの説明をテキスト情報として格納するものである。第１データベース格納手段１１１は、具体的には、データを記憶することができるメモリ、ハードディスク等で具現される。第１データベース格納手段１１１は、図８に示すように、基本識別情報に対応した動画像コンテンツの名称、または、当該動画像コンテンツの説明等のテキスト情報を基本識別情報検出部７０１に出力する。
【００８２】
第２データベース格納手段１１２は、動画像コンテンツの関連情報に対応付けて、当該動画像コンテンツが撮影された場所の地図情報をテキスト情報として格納するものである。第２データベース格納手段１１２は、具体的には、データを記憶することができるメモリ、ハードディスク等で具現される。第２データベース格納手段１１２は、図８に示すように、関連情報に対応した動画像コンテンツが撮影された場所の地図情報からなるテキスト情報を関連情報識別部７０２に出力する。
【００８３】
このような構成を備える電子透かし検出装置２Ａにおいて、電子透かし検出手段７０の基本識別情報検出部７０１は、動画像コンテンツ復号手段１００によって復号された動画像コンテンツを構成するフレーム画像内における複数の埋め込み領域（図２参照）から、基本識別情報を検出するとともに、第１データベース格納手段１１１から、基本識別情報に対応した動画像コンテンツの名称、または、当該動画像コンテンツの説明等のテキスト情報を抽出する。また、電子透かし検出手段７０の関連情報検出部７０２は、動画像コンテンツ復号手段１００によって復号された動画像コンテンツを構成するフレーム画像内における複数の埋め込み領域（図２参照）から、関連情報を検出するとともに、第２データベース格納手段１１２から、関連情報に対応した動画像コンテンツが撮影された場所の地図情報等のテキスト情報を抽出する。
【００８４】
以上のような構成を備える電子透かし検出装置２Ａは、伝送路Ｔ経由で動画像コンテンツを受信した際に、基本識別情報および関連情報の検出に加えて、これらに関連した情報も抽出されるように構成されているため、例えば送信元や名称が不明な動画像コンテンツを受信した場合であっても、送信元や名称を把握することができる。
【００８５】
［電子透かし検出装置２Ａの動作］
以下、電子透かし検出装置２Ａの動作について、図９を参照しながら簡単に説明する。まず、動画像コンテンツ受信手段９０が、伝送路Ｔ経由で圧縮動画像コンテンツが受信される（ステップＳ８）。次に、動画像コンテンツ復号手段１００が、圧縮動画像コンテンツをベースバンド信号に復号する（ステップＳ９）。次に、基本識別情報検出部７０１が、当該復号された動画像コンテンツを構成するフレーム画像の埋め込み領域（１）〜（８）（図２参照）に埋め込まれた基本識別情報を検出するとともに、第１データベース格納手段１１１から、基本識別情報に対応したテキスト情報を抽出し、検出結果とテキスト情報を表示手段８０に出力する（ステップＳ１０）。次に、関連情報検出部７０２が、当該収集された動画像コンテンツを構成するフレーム画像の埋め込み領域（１）〜（８）（図２参照）に埋め込まれた関連識別情報を検出するとともに、第２データベース格納手段１１２から、関連情報に対応したテキスト情報を抽出し、検出結果とテキスト情報を表示手段８０に出力する（ステップＳ１１）。そして、表示手段８０が当該検出結果およびテキスト情報を表示する。
【００８６】
［電子透かし検出プログラム］
ここで、前記した電子透かし検出装置２，２Ａは、一般的なコンピュータを、前記した各手段および各部として機能させるプログラムにより動作させることで実現することができる。このプログラムは、通信回線を介して配布することも可能であるし、ＣＤ−ＲＯＭ等の記録媒体に書き込んで配布することも可能である。
【００８７】
以上、本発明に係る電子透かし埋め込み装置、電子透かし埋め込みプログラム、電子透かし検出装置および電子透かし検出プログラムについて、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【００８８】
例えば、前記した電子透かし埋め込み装置１の電子透かし埋め込み手段２０は、基本識別情報埋め込み部２０１のみを備える構成としてもよい。すなわち、電子透かし埋め込み装置１は、入力された動画像コンテンツに対して、基本識別情報のみを埋め込んで電子透かし埋め込み動画像コンテンツを生成してもよい。
【００８９】
また、前記した電子透かし埋め込み装置１の領域分割手段１０は、図２に示すように、フレーム画像を（１）〜（８）の８つの領域に分割しているが、８つ以下あるいは８つ以上の領域に分割しても構わない。
【００９０】
また、前記した電子透かし埋め込み装置１の基本識別情報埋め込み部２０１は、図２に示す埋め込み領域（１）〜（８）のそれぞれに、基本識別情報を１回だけ埋め込んでもよい。
【００９１】
また、前記した電子透かし埋め込み装置１の関連情報埋め込み部２０２は、基本識別情報埋め込み部２０１による基本識別情報の５回分の埋め込み処理の後に、関連情報の埋め込み処理を行うとしたが、基本識別情報と関連情報の埋め込みの順序は特に限定されず、どちらが先でも、どちらが後でも、あるいは同時であっても構わない。
【００９２】
また、前記した電子透かし埋め込み装置１の基本識別情報埋め込み部２０１および関連情報埋め込み部２０２は、図３に示すようなデータ配列を有する電子透かしの埋め込みが可能であれば、特許文献１に記載された再撮耐性を有する電子透かしの埋め込みアルゴリズム以外のアルゴリズムも用いることができる。
【００９３】
また、前記した電子透かし埋め込み装置１Ａの埋め込みデータ生成手段３０は、基本識別情報のみを含む電子透かしの埋め込みデータを生成する構成としてもよい。すなわち、電子透かし埋め込み装置１Ａは、関連情報を含まない電子透かしの埋め込みデータを生成してもよい。
【００９４】
また、前記した電子透かし埋め込み装置１Ａの埋め込みデータ生成手段３０は、基本識別情報を１つのみ含む電子透かしの埋め込みデータを生成する構成としてもよい。すなわち、電子透かし埋め込み装置１Ａは、基本識別情報を１つのみ、あるいは基本識別情報および関連情報をそれぞれ１つずつ含む電子透かしの埋め込みデータを生成してもよい。
【００９５】
また、電子透かし検出装置２，２Ａは、電子透かし埋め込み装置１のみならず、電子透かし埋め込み装置１Ａおよびその変形例によって生成された電子透かし埋め込み動画像コンテンツ中に埋め込まれた電子透かしを検出することもできる。
【００９６】
また、前記した電子透かし検出装置２，２Ａの基本識別情報検出部７０１および関連情報検出部７０２で用いられる電子透かしの検出アルゴリズムは前記したものに限定されず、例えばフレーム画像内の埋め込み領域ごとに算出される相関値を順次足し合わせ、一定の閾値に達した時点で、対応する埋め込みビットを最終的な埋め込みビットとして出力するアルゴリズムを用いてもよい。なお、この場合、例えば１つの基本識別情報がフレーム画像の時間方向あるいは複数のフレームにわたって埋め込まれている場合とは異なり、１枚のフレーム画像から基本識別情報を検出することができるため、電子透かしの検出処理を高速化することができる。
【００９７】
また、前記した電子透かし検出装置２，２Ａの関連情報検出部７０２は、基本識別情報検出部７０１による基本識別情報の検出処理の後に、関連情報の検出処理を行うとしたが、電子透かし検出装置２，２Ａの処理能力に応じて、基本識別情報の検出処理と関連情報の検出処理を並行して同時に行っても良い。
【００９８】
また、前記した電子透かし埋め込み装置１の説明では、図３に示す少数ビットデータの繰り返し埋め込み領域に８ビットの基本識別情報を繰り返し埋め込み、汎用データの埋め込み領域に４０ビットの関連情報を埋め込む場合を示したが、他のビット列長であってもよい。この２種類のデータについて、それぞれどのビット列長が最適であるかは、電子透かしの検出に要する時間や検出精度との兼ね合いによるため、個々の具体的な態様により異なる。
【００９９】
例えば、前記した基本識別情報の検出に要する時間をより短縮化する必要がある場合、その埋め込み繰り返し回数を増加させればよい。例えば、図３に示す電子透かしのデータ配列における基本識別情報の繰り返し回数を５回から１０回に増加させると、基本識別情報検出部７０１が判定する埋め込み領域ごとの埋め込みビットの数がより増加し、最終的な埋め込みビットの決定までの時間がより短縮されるため、基本識別情報をより高速に検出することができる。また、関連情報（汎用データ）のデータ量が大きく、その検出に非常に長い時間を要する場合は、基本識別情報の埋め込み繰り返し回数を減少させることによって、１フレーム内の埋め込み領域における汎用データが占める割合を増加させればよい。
【０１００】
また、前記した電子透かし検出装置２の説明では、動画像コンテンツ収集手段５０がインターネット経由でアクセス可能な動画像コンテンツのうち、動画投稿サイトにアップロードされた放送番組等、著作権侵害の可能性が疑われる動画像コンテンツを収集する場合を示したが、使用する通信網Ｎはインターネットに限らず、任意の通信網を利用することができる。また、ウェブサイトについても、動画投稿サイトに限らず任意のウェブサイトを対象として動画像コンテンツを探索してもよく、アクセスし得るあらゆる動画像コンテンツを収集してもよい。
【０１０１】
また、前記した電子透かし検出装置２を動画投稿サイトへの削除要請システムと組み合わせて違法流通対策システムを構築してもよい。また、当該電子透かし検出装置２を直接動画投稿サイトに備え、アップロードされる動画像コンテンツから基本識別情報を高速に検出することで、違法にアップロードされた動画像コンテンツを速やかに検知し、即座にこれを削除する構成としてもよい。
【符号の説明】
【０１０２】
１，１Ａ  電子透かし埋め込み装置
２，２Ａ  電子透かし検出装置
９  埋め込み単位特定手段
１０  領域分割手段
２０，２１  電子透かし埋め込み手段
３０  埋め込みデータ生成手段
４０  検索キーワード入力手段
５０  動画像コンテンツ収集手段
６０  動画像コンテンツ蓄積手段
７０  電子透かし検出手段
８０  表示手段
９０  動画像コンテンツ受信手段
１００  動画像コンテンツ復号手段
１１１  第１データベース格納手段（ＤＢ１）
１１２  第２データベース格納手段（ＤＢ１）
２０１  基本識別情報埋め込み部
２０２  関連情報埋め込み部
７０１  基本識別情報検出部
７０２  関連情報検出部
Ｎ  通信網
Ｔ  伝送路
【図１】
0005557756.tif 000002
【図２】
0005557756.tif 000003
【図３】
0005557756.tif 000004
【図４】
0005557756.tif 000005
【図５】
0005557756.tif 000006
【図６】
0005557756.tif 000007
【図７】
0005557756.tif 000008
【図８】
0005557756.tif 000009
【図９】
0005557756.tif 000010